(57)【要約】【課題】  金属製よりなる背板の下端の折曲部が後方に露出することのないようにし、背凭れの見栄えを向上させる。【解決手段】  脚フレームに、座体と背凭れ１８とを、該背凭れ１８の下部が座体の後端よりも下方に位置するように取付けてなる椅子において、背凭れ１８における左右１対の上下方向を向く背フレーム１９の対向面により、金属製の背板２８の両側端を挟持するとともに、この背板２８の下端を前向円弧状に折曲する。【選択図】  図５
2006187536.tif 000002
【特許請求の範囲】
【請求項１】
脚フレームに、座体と背凭れとを、該背凭れの下部が座体の後端よりも下方に位置するように取付けてなる椅子において、前記背凭れにおける左右１対の上下方向を向く背フレームの対向面により、金属製の背板の両側端を挟持するとともに、この背板の下端を前向円弧状に折曲したことを特徴とする椅子の背凭れ構造。
【請求項２】
左右の背フレームの対向面に、上下方向を向く凹溝を設け、この両凹溝に、背板の両側端部を嵌合させて挟持してなる請求項１記載の椅子の背凭れ構造。
【請求項３】
背板の下端を概ね円形状をなすまで折曲するとともに、背板の上端も概ね円形状に後向きに折曲し、上下の折曲部を背板の取付部として、両側端が左右の背フレームにねじ止めされた上下１対の横杆にそれぞれ外嵌した請求項１または２記載の椅子の背凭れ構造。
【請求項４】
背板の上端の折曲部を、背板の前面に設けたクッション材により覆ってなる請求項３記載の椅子の背凭れ構造。
【発明の詳細な説明】
【技術分野】
【０００１】
本発明は、椅子の背凭れ構造、特に背凭れの背板の取付構造に関する。
【背景技術】
【０００２】
従来の椅子の中には、左右１対の側枠体の対向面に形成した凹溝内に、座と背凭れとが一体となった合成樹脂よりなる座席基板の両側端部を嵌合するとともに、座席基板の後部上端と前端及び中間部を、両側枠体の対向面間に横架した連結杆により支持したものがある（例えば特許文献１参照）。
【特許文献１】実公昭５４−２１２１０号公報
【発明の開示】
【発明が解決しようとする課題】
【０００３】
上記特許文献１に記載されている椅子においては、その座席基板の後部上端と前端は、同方向、すなわち下向円弧状に折曲されている。
このような構造は、座板と背板とが分離した椅子についても適用されるのが一般的である。すなわち、座板の前後両端は下向円弧状に、背板の上下両端は後向円弧状に、それぞれ折曲される。
【０００４】
しかし、背板において、その上下両端を後向円弧状に折曲すると、上端の折曲部は、背当てクッション等により覆いうるため、見栄えが悪くなることはないが、背当てクッション等により覆うことが困難な下端の折曲部が、背凭れの後方に露出して、椅子を後方から見たときの見栄えが悪くなる。
特に、背板を金属板により形成した際に、その折曲端が露呈して体裁が悪くなる。
【０００５】
本発明は、上記問題点に鑑みてなされたもので、座体と背凭れとが分離し、かつ背凭れの背板が金属製であっても、背板の下端の折曲部が後方に露出することのないようにし、背凭れの見栄えを向上させうるようにした椅子の背凭れ構造を提供することを目的としている。
【課題を解決するための手段】
【０００６】
本発明によると、上記課題は、次のようにして解決される。
(１)脚フレームに、座体と背凭れとを、該背凭れの下部が座体の後端よりも下方に位置するように取付けてなる椅子において、前記背凭れにおける左右１対の上下方向を向く背フレームの対向面により、金属製の背板の両側端を挟持するとともに、この背板の下端を前向円弧状に折曲する。
【０００７】
(２)上記(１)項において、左右の背フレームの対向面に、上下方向を向く凹溝を設け、この両凹溝に、背板の両側端部を嵌合させる。
【０００８】
(３)上記(１)または(２)項において、背板の下端を概ね円形状をなすまで折曲するとともに、背板の上端も概ね円形状に後向きに折曲し、上下の折曲部を背板の取付部として、両側端が左右の背フレームにねじ止めされた上下１対の横杆にそれぞれ外嵌する。
【０００９】
(４)上記(３)項において、背板の上端の折曲部を、背板の前面に設けたクッション材により覆う。
【発明の効果】
【００１０】
請求項１記載の発明によれば、背板の下端は、前向円弧状に折曲され、かつ折曲部は座体の後端下方と背凭れの下端前部との目立たない隅部に位置しているので、背板が座体と分離された金属製よりなるものであっても、折曲部は椅子の後方に露出せず、見栄えが向上する。
【００１１】
請求項２記載の発明によれば、背板の両側端が背フレームにより隠されるので、見栄えがよく、かつ前後方向にぐら付く恐れがない。
【００１２】
請求項３記載の発明によれば、背板を、ねじ等の固定手段を用いることなく、背フレームに、容易にかつ安定して取付けることができる。
【００１３】
請求項４記載の発明によれば、背板の上端の折曲部がクッション材により完全に隠され、外部に露呈しないので、見栄えがよくなる。
【発明を実施するための最良の形態】
【００１４】
以下、本発明の実施形態を、図面に基づいて説明する。
図１は、本発明を適用したロビーチェア、すなわち３連式の椅子の正面図、図２は、拡大右側面図、図３は、図１のIII−III線拡大縦断側面図で、左右方向に長い脚フレーム(１)の上部には、３個の同形をなす単体の椅子(２)が取付けられている。
【００１５】
脚フレーム(１)は、前後方向に鈍角をなして大きく拡開する側面視山形状の左右１対のアルミニウム合金等よりなる支持脚(３)(３)と、それらの上端間に横架された鋼管等よりなる横フレーム(４)とからなり、支持脚(３)と横フレーム(４)とは、次のようにして結合されている。
【００１６】
図３及び図４に示すように、支持脚(３)が取付けられる横フレーム(４)の左右両側部下面には、左右寸法を前後寸法よりも所要寸法大とした、上面が開口する箱状の取付金具(５)が、その内部に横フレーム(４)の下部が若干嵌合されるようにして、横フレーム(４)との前後左右の全ての接触部を溶接することにより固着されている。
【００１７】
支持脚(３)の上端には、上記取付金具(５)が若干の余裕をもって収容可能な、上面が開口する箱状の支持部(６)が一体的に形成されている。
【００１８】
支持部(６)の前後に対向する起立片(6a)(6a)間の寸法は、横フレーム(４)が上方より嵌合しうる寸法とされ、また左右に対向する起立片(6b)(6b)の上端には、横フレーム(４)のほぼ下半部が嵌合される下向円弧状の凹溝(７)が形成されている。
【００１９】
取付金具(５)の底板(5a)と、支持部(６)の支持基板(6c)とには、それぞれ前後左右に並ぶ４個の通孔(８)と段付孔(９)とが、互いに整合するようにして穿設され、底板(5a)の各通孔(８)の形成部の上面には、ナット(10)が溶接されている。
【００２０】
支持脚(３)の支持部(６)内に取付金具(５)を収容し、その底板(5a)を支持基板(6c)上に載置するとともに、支持部(６)内に横フレーム(４)の下半部を嵌合したのち、支持基板(6c)の段付孔(９)に下方より挿入した六角穴付きボルト(11)を、底板(5a)の通孔(８)を挿通してナット(10)に螺合し、締付けることにより、支持脚(３)の上端に、横フレーム(４)の両側部下面が強固に結合されている。
【００２１】
横フレーム(４)の上部には、各椅子(２)毎に、左右１対ずつのブラケット(12)(12)が固着されている。
【００２２】
各ブラケット(12)は、図３に示すように、上辺と後辺とが直交する側面視直角三角形の金属平板状の前後方向を向く垂直基板(12a)の上端と後端とに、内向きに直角に折曲された、ほぼ水平をなす座取付片(12b)と、それよりも下方にほぼ垂直をなす背凭れ取付片(12c)とを一体的に連設したものよりなり、基板(12a)の前後方向のほぼ中央下部に形成した上向円弧状の凹溝(13)を、横フレーム(４)のほぼ上半部に嵌合させた状態で、互いの当接部を溶接することにより固着されている。座取付片(12b)の後端と背凭れ取付片(12c)の上端とが直交する隅部も、溶接により固着されている。
【００２３】
左右のブラケット(12)における座取付片(12b)の上面には、上面に座クッション(14)が取付けられた座体(15)における座フレーム(16)の両側端部下面が、下方より挿入した複数のねじ(17)により固定されている。
【００２４】
また、左右のブラケット(12)における背凭れ取付片(12c)の後面には、図５及び図６にも示すように、（左右対称につき、左方のみ図示する）背凭れ(18)における左右両側端の背フレーム(19)の下端に形成された若干厚肉の内向取付部(19a)の前面が、それに穿設された上下２個の前後方向を向くめねじ孔(20)(20)に、背凭れ取付片(12c)の前方より挿通したボルト(21)(21)を螺合して締め付けることにより、背フレーム(19)の下部が座体(15)の後端よりも下方に位置するようにして固定されている。
【００２５】
背フレーム(19)の取付作業を容易とするために、背凭れ取付片(12c)と内向取付部(19a)との対向面に、互いに係合し合う係止手段、すなわち図７に拡大して示すように、背フレーム(19)の内向取付部(19a)の前面に下向鉤状の係止フック(22)を突設するとともに、背凭れ取付片(12c)にスリット状の係合孔(23)を穿設し、係止フック(22)を係合孔(23)の下端縁に係合させた際に、背凭れ取付片(12c)に穿設されたボルト挿通孔（図示略）と内向取付部(19a)のめねじ孔(20)とが整合するようにしておけば、他の作業者が背フレーム(19)を手で支持しなくても、ボルト(21)の締付作業を一人で容易に行うことができる。
【００２６】
なお、上記とは反対に、係止フック(22)を背凭れ取付片(12c)の後面に設け、係合孔(23)を背フレーム(19)の内向取付部(19a)に設けるようにしてもよい。
【００２７】
図５、図６及び図８に示すように、左右の背フレーム(19)の上下両端の対向面には、パイプ状の横杆(24)(24)の両端が、その両側部に形成されためねじ(25)に、背フレーム(19)の段付孔(26)に外方より挿通したボルト(27)を螺合することにより、結合されている。
【００２８】
上下の横杆(24)には、パンチングプレートよりなる金属製の背板(28)が、図９及び図１０にも示すように、その上端の後向き円弧状にカールさせた上部取付部(28a)を上部の横杆(24)に、同じく、下端の前向き円弧状にカールさせた下部取付部(28b)を下部の横杆(24)に、それぞれ嵌合することにより取付けられている。なお、上下の取付部(28a)(28b)は、上下の横杆(24)の外径と同じ曲率で、それらに係止可能な円弧形、例えば横杆(24)の外周のほぼ２／３に嵌合しうるように円弧状にカールされている。なお、上下の取付部(28a)(28b)は、ほぼ円形状をなすまでカールさせてもよい。
【００２９】
背板(28)の両側部は、左右の背フレーム(19)の対向面に形成された凹溝(29)内に嵌合されている。
【００３０】
なお、背板(28)は、左右の背フレーム(19)同士を上下の横杆(24)により結合する前に、該上下の横杆(24)に予め嵌合されている。
【００３１】
背板(28)の座体(15)よりも上方の前面には、背当てクッション(30)が取付けられ、また上端部には、クッション材よりなるヘッドレスト(31)が、上部の横杆(24)と、それに嵌合された背板(28)の上部取付部(28a)とを前後両面からくるむようにして取付けられている（図９参照）。
【００３２】
図１１及び図１２に示すように、椅子(２)を挟む両側の横フレーム(４)には、上面に肘当てパッド(32)が取付けられた側面視逆正三角形状をなすアルミニウム合金等よりなる肘掛け(33)が、次のようにして取付けられている。
【００３３】
横フレーム(４)における各肘掛け(33)の取付部の上面には、前後寸法が横フレーム(４)の外径とほぼ等しい側面視下向コ字状断面をなす支持金具(34)が跨嵌され、その前後の下向片(34a)と横フレーム(４)との接触部が溶接により固着されている。
【００３４】
支持金具(34)の中央部と、それに対向する横フレーム(４)とには、互いに整合する挿通孔(35)(35)が、上下方向に向かって貫設され、それらの挿通孔(35)には、上下方向を向く金属パイプ状のスペーサ(36)が、その上端を支持金具(34)の上面上に若干突出させるとともに、下端が、横フレーム(４)の下部の挿通孔(35)よりも若干内方に離間するようにして嵌合され、上方の突出端部が溶接により支持金具(34)の上面に固着されている。
【００３５】
肘掛け(33)の下端に連設された、前後寸法が横フレーム(４)の外径よりも若干大きい上下方向を向く取付基部(33a)の下面には、横フレーム(４)の上部に支持金具(34)を収容して嵌合可能な上向き円弧状をなすとともに、奥端面が支持金具(34)の上面と当接する平坦面をなし、さらにその中央部に、スペーサ(36)の突出端が凹入する上向きの逃げ溝(37)を有する凹部(38)が形成されている。
【００３６】
また、取付基部(33a)の中心には、下端が開口するめねじ孔(39)が、上下方向に向かって形成されている。
【００３７】
肘掛け(33)を取付けるには、その取付基部(33a)の凹部(38)を、支持金具(34)に嵌合してその上面により支持したのち、横フレーム(４)の下部の挿通孔(35)より挿入した六角穴付きボルト(40)を、スペーサ(36)に挿通させて、取付基部(33a)のめねじ孔(39)に螺合し、締付ければよい。この際、ボルト(40)の頭部は、横フレーム(４)内に位置し、外部に露出しないようになっている。
これにより、横フレーム(４)が１本の鋼管よりなるものであっても、これに肘掛け(33)を安定して取付けることができる。
【００３８】
横フレーム(４)の両端の開口部には、カバー(41)が嵌合されている。
【００３９】
上記のような長寸のスペーサ(36)を用いると、それがガイドの作用をなしてボルト(40)の締付作業が容易となるが、このようなスペーサ(36)を省略して、横フレーム(４)を貫通するボルトを直接めねじ孔(39)に螺合したり、横フレーム(４)の内面上部から、円弧状に湾曲する座金を介してボルトをめねじ孔(39)に螺合したりすることもある。
【００４０】
以上説明したように、上記実施形態の椅子においては、別体をなす座体(15)と背凭れ(18)とを、左右１対の共通をなすブラケット(12)に取付けているため、部品点数や組立工数が削減される。
【００４１】
また、背凭れ(18)の下端部の前面が、座体(15)の後端より下方においてブラケット(12)の後端に取付けられているため、ブラケット(12)や横フレーム(４)が背凭れ(18)の下部前方に位置して目立たなくなり、見栄えがよく、かつデザイン的に優れた椅子を提供することができる。
【００４２】
さらに、背フレーム(19)の下端部の前面に、前後方向を向くめねじ孔(20)を設けているため、ブラケット(12)の背凭れ取付片(12c)の前方からめねじ孔(20)にボルト(21)を螺合することにより、座体(15)と別体の背凭れ(18)の背フレーム(19)を、ブラケット(12)に容易に固定することができ、かつボルト(21)も側方から見えないので見栄えがよくなる。
【００４３】
背板(28)は、その両側端部が左右の背フレーム(19)の対向面に形成した凹溝(29)に嵌合され、かつ上下両端のカールした取付部(28a)(28b)を、背フレーム(19)の上下の対向面同士を連結する上下１対の横杆(24)に嵌合させて取付けられているため、ねじ等の固定手段を用いることなく、容易に、かつ安定して取付けることができる。
【００４４】
また、背板(28)の下部取付部(28b)は、前向円弧状にカールさせてあるため、そのカールさせた取付部(28b)が背板(28)の後方に露呈することがなく、しかも、座体(15)の後端下方と背凭れ(18)の下端前部との目立たない隅部に位置しているので、見栄えがよくなる。
【００４５】
管状の横フレーム(４)の下面に、上面が開口された箱状の取付金具(５)の上部を若干嵌合させて、全ての接触部を溶接し、支持脚(３)の上部に形成された、上面が開口する箱状の支持部(６)内に上記取付金具(５)を嵌合した状態で、取付金具(５)の底板(5a)と支持部(６)の支持基板(6c)とを、ボルト(11)とナット(10)とにより結合して、支持脚(３)の上部に横フレーム(４)を固定しているため、横フレーム(４)に対し支持脚(３)の取付部の位置決めがし易くなる。
【００４６】
また、取付金具(５)は、溶接により強固に横フレーム(４)に固着されており、かつ取付金具(５)と支持脚(３)の支持部(６)も、４個のボルト(11)とナット(10)により強固に固定されているため、横フレーム(４)に複数の座体(15)からの回転力が作用したとしても、支持脚(３)に対し横フレーム(４)が回動したりする恐れはない。
【００４７】
本発明は、上記のように、左右方向に長い脚フレーム(１)に、複数の単体の椅子(２)を取付けたロビーチェア等の椅子以外に、通常の単体の椅子にも適用しうることは勿論である。
【図面の簡単な説明】
【００４８】
【図１】本発明を適用した３連式椅子の正面図である。
【図２】同じく右側面図である。
【図３】図１のIII−III線拡大縦断側面図である。
【図４】図３のIＶ−IＶ線拡大縦断後面図である。
【図５】同じくＶ−Ｖ線拡大縦断正面図である。
【図６】図５のＶI−ＶI線横断平面図である。
【図７】同じくVII−VII線縦断側面図である。
【図８】図２のVIII−VIII線拡大縦断正面図である。
【図９】図８のIＸ−IＸ線拡大縦断側面図である。
【図１０】図５のＸ−Ｘ線拡大縦断側面図である。
【図１１】椅子の肘掛け取付部の分解斜視図である。
【図１２】同じく、肘掛け取付部を一部縦断して示す拡大側面図である。
【符号の説明】
【００４９】
(１)脚フレーム
(２)椅子
(３)支持脚
(４)横フレーム
(５)取付金具
(5a)底板
(６)支持部
(6a)(6b)起立片
(6c)支持基板
(７)凹溝
(８)通孔
(９)段付孔
(10)ナット
(11)ボルト
(12)ブラケット
(12a)基板
(12b)座取付片
(12c)背凭れ取付片
(13)凹溝
(14)座クッション
(15)座体
(16)座フレーム
(17)ねじ
(18)背凭れ
(19)背フレーム
(19a)内向取付部
(20)めねじ孔
(21)ボルト
(22)係止フック
(23)係合孔
(24)横杆
(25)めねじ
(26)段付孔
(27)ボルト
(28)背板
(28a)上部取付部
(28b)下部取付部
(29)凹溝
(30)背当てクッション
(31)ヘッドレスト
(32)肘当てパッド
(33)肘掛け
(33a)取付基部
(34)支持金具
(34a)下向片
(35)挿通孔
(36)スペーサ
(37)逃げ溝
(38)凹部
(39)めねじ孔
(40)ボルト
(41)カバー
【図１】
2006187536.tif 000003
【図２】
2006187536.tif 000004
【図３】
2006187536.tif 000005
【図４】
2006187536.tif 000006
【図５】
2006187536.tif 000007
【図６】
2006187536.tif 000008
【図７】
2006187536.tif 000009
【図８】
2006187536.tif 000010
【図９】
2006187536.tif 000011
【図１０】
2006187536.tif 000012
【図１１】
2006187536.tif 000013
【図１２】
2006187536.tif 000014